(57)【特許請求の範囲】
【請求項１】
収納部の上方に幕板を備え、複数のキャビネットが集合して構成されたキャビネットにおいて、前記幕板に、他の機能を有する機能部品を取り付ける取付部が、一体又は一体的に形成されており、前記取付部は、前記複数のキャビネットに共通した一つの取付部であり、断面Ｈ型形状をしており、前記複数のキャビネットに対して共通で長尺状の一体の部材として形成され、取付部が天板の前垂れ部の下方で、取付部の前面が前垂れ部の前端よりも突出しない位置にあることを特徴とするキャビネット。
【請求項２】
前記機能部品が取り付け、取り外し自在であることを特徴とする請求項１記載のキャビネット。
【請求項３】
前記機能部品を取り付けて使用するときに、その機能部品の外れ防止手段を備えていることを特徴とする請求項１又は２記載のキャビネット。
【請求項４】
前記取付部がキャビネットの左右方向に延びて形成され、前記機能部品の取付位置を調整可能であることを特徴とする請求項１〜３のいずれか１項に記載のキャビネット。
【請求項５】
前記取付部がキャビネットの左右方向に延びて形成され、前記機能部品を左右方向に移動可能であることを特徴とする請求項１〜４のいずれか１項に記載のキャビネット。
【請求項６】
前記機能部品が複数個取り付けられていることを特微とする請求項１〜５のいずれか１項に記載のキャビネット。
【請求項７】
前記機能部品は、もたれバー、タオル掛け、小物入れ、後付けテーブル又は手元操作スイッチであることを特徴とする請求項１〜６のいずれか１項に記載のキャビネット。
【発明の詳細な説明】
【０００１】
【発明の属する技術分野】
この発明は、流し台や洗面台等に利用されるキャビネットに関し、もたれバー、タオル掛け、小物入れ、後付テーブル等、使用者が所望するいろいな種類の機能部品（必要に応じて取り付けてその機能を利用する部品であって、「オプション部品」又は「付属部品」とも言う。）を、選択的、着脱自在に前面に装着できるキャビネットに関する。
【０００２】
【従来の技術】
従来、前面に機能部品として、もたれバー等を取り付けたキャビネットは知られている。又、同じく機能部品として、キッチンにおいて作業をする者を支持するサポート装置やベルト型腰当て等は知られている（特開平５−３００８１７号公報、特開平１０−１４６８０号公報参照。）
【０００３】
【発明が解決しようとする課題】
しかし、従来は、キャビネットに取り付けられる機能部品（例．もたれバー）は、定位置（例えば流し台の前方）に固定されており、キャビネットの別の箇所（例えば調理台）で作業をする場合は、機能部品を利用することができないという不便さがあった。
【０００４】
本発明は、上記従来の問題点を解決することを目的とするものであり、機能部品をキャビネットの１カ所だけでなく、別の作業をする別の位置でも利用できるように、簡単に移動且つ固定自在とし、使い勝手を良くすることを課題とする。
【０００５】
さらに、もたれバー、タオル掛け、小物入れ、後付テーブル、各種リモコンスイッチ類等、使用者が所望するいろろいろな種類の機能部品を、選択的且つ簡単に着脱して利用できるとともに、機能部品の長さや数等について、使用者の希望に応じてきめ細かく仕様設計して、提供することのできる自由度の大きいキャビネットを実現することを課題とする。
【０００６】
【課題を解決するための手段】
本発明は上記課題を解決するために、収納部の上方に幕板を備え、複数のキャビネットが集合して構成されたキャビネットにおいて、前記幕板に、他の機能を有する機能部品を取り付ける取付部が、一体又は一体的に形成されており、前記取付部は、前記複数のキャビネットに共通した一つの取付部であり、断面Ｈ型形状をしており、前記複数のキャビネットに対して共通で長尺状の一体の部材として形成され、取付部が天板の前垂れ部の下方で、取付部の前面が前垂れ部の前端よりも突出しない位置にあることを特徴とするキャビネットを提供する。
【０００８】
前記機能部品が取り付け、取り外し自在である構成としてもよい。
【０００９】
前記機能部品を取り付けて使用するときに、その機能部品の外れ防止手段を備えている構成としてもよい。
【００１０】
前記取付部がキャビネットの左右方向に延びて形成され、前記機能部品の取付位置を調整可能である構成としてもよい。
【００１１】
前記取付部がキャビネットの左右方向に延びて形成され、前記機能部品を左右方向に移動可能である構成としてもよい。
【００１２】
前記機能部品が複数個取り付けられている構成としてもよい。
【００１４】
前記機能部品は、もたれバー、タオル掛け、小物入れ、後付けテーブル又は手元操作スイッチである構成としてもよい。
【００１５】
【発明の実施の形態】
本発明に係るキャビネットの実施の形態を実施例に基づいて図面を参照して以下説明する。
【００１６】
（実施例１）
図１は本発明に係るキャビネットの実施例１であるシステムキッチンの全体構成を示す斜視図である。図２は、図１のキャビネットの要部を説明する図であり、図２（ａ）は幕板本体の取付構造を示し、図２（ｂ）はもたれバーに適用した例を示し、図２（ｃ）はタオル掛けに適用した例を示す。
【００１７】
図１に示すシステムキッチンは、キャビネット（キッチンキャビネット）１の上に、シンク３を備えた天板２が載置されて構成される。キャビネット１は、複数のキャビネット４〜７が集合してユニットとして構成される。キャビネット４〜７は夫々扉や引き出しを有する開閉可能な収納部が設けられている。
【００１８】
キャビネットの上部には幕板が取り付けられている。この幕板は、幕板本体と取付部とを有している。具体的な構成としては、次の（１）、（２）の二つの構成がある。
（１）取付部をアルミで押し出し成形品又は樹脂成形品として製造し、この取付部と幕板本体を互いに一体的に固定して幕板を構成する。
（２）幕板本体と取付部を製造段階で一体成形する。即ち、幕板本体と取付部を有する幕板を、アルミで一体的に押出成形するか、又は樹脂材で一体成形する。
【００１９】
本発明では、上記（１）、（２）のいずれの構成を採用してもよいが、以下の実施例１〜３では、幕板については、主に上記（１）の構成で説明する。
【００２０】
図２（ｂ）、（ｃ）において、幕板８は、幕板本体９と、取付部である取付部材材１０とを有し、幕板本体９の前面にボルト１１で一体的に取付部材１０が固定されて構成される。幕板本体９は、図２（ａ）に示すように、キャビネット４（キャビネット５〜６についても同様である。）の両側板１２の前縁上部の間又はその前面に固定されている。そして、幕板本体９は、図２（ｂ）、（ｃ）に示すように、その上部前面が天板２の前垂れ部１３の背面に当接するように配置されている。
【００２１】
シンクキャビネット１を構成する複数のキャビネット４〜６に幕板８を取り付ける構成として次の▲１▼〜▲３▼のような態様があるが、本発明はいずれの態様を採用してもよい。
▲１▼複数のキャビネット毎に幕板を取り付ける構造。
▲２▼キャビネット毎ではなく、複数のキャビネットに対して共通の一つの幕板を取り付ける構造。
▲３▼キャビネット毎に幕板本体を取付け、複数のキャビネットに共通の一つの取付部材を取り付ける構造。
【００２２】
本実施例では、幕板本体９が、シンク３の下方のキャビネット４、５（流し台）だけでなく、流し台４、５から調理用のキャビネット（調理台）６にかけて、左右方向に幅広く取り付けられている。そして、この幕板本体９の全長にわたって取付部材１０が固定されている。この結果、図１に示すように、取付部材１０を有する幕板８は、流し台４、５から調理用のキャビネット６（調理台）にかけて、左右方向に幅広く取り付けられている。
【００２３】
取付部材１０は、上記のとおりアルミの押し出し成形品、又は樹脂成形品として形成されるが、十分な強度を有する断面Ｈ型形状をしており、長尺状に一体の部材として製造される。取付部材１０の前後方向の幅寸法は、天板２の前垂れ部１３よりも前方に出ない程度とすることで、見栄えがよく、使用者の邪魔にならないようにする。
【００２４】
取付部材１０は、前方垂直壁１４、水平橋絡部１５及び後方垂直壁１６を有する。前方垂直壁１４は、後述する「機能部品」を取付ける部分であり、後方垂直壁は１６は、幕板本体９に当接して固定する部分である。
【００２５】
次に、取付部材１０に機能部品を取り付ける構成について説明する。図２（ｂ）は、取付部材１０に、機能部品として、もたれバー１７を着脱自在に取り付けた構成を示している。もたれバー１７の内側には取付用ブラケット１８が固定されている。この取付用ブラケット１８にはフック部１９と当接部２０が一体に形成されている。
【００２６】
取付部材１０にもたれバー１７を固定する場合には、図２（ｂ）に示すように、取付部材１０に、取付用ブラケット１８のフック部１９を引っ掛けるとともに、当接部２０を前方垂直壁１４の前面に当接して、締結片２１で挟持してネジ２２で締め付けることにより固定することができる。
【００２７】
このネジ２２は、ドライバ等の工具を使わずに、使用者が手で容易に締め付け及び緩めることのできるように、そのヘッドは操作用のつまみとするとよい。締結片２１及びネジ２２は、機能部品であるもたれバー１７が取付部材１０からはずれることを防止する機能を有するはずれ防止手段でもある。
【００２８】
このようにして取付部材１０に、もたれバー１７を取り付けた状態のキャビネット１の全体構成を図３に示す。取付部材１０が流し台４、５から調理台６にかけて取り付けられているから、ネジ２２をゆるめて、もたれバー１７を取付部材１０上で水平にスライドして流し台４、５又は調理台６に適宜移動させて固定すれば、もたれバー１７は使用者がその作業に応じて必要とする箇所で利用できる。
【００２９】
本発明は、このように、キッチンでの作業内容に応じて、キャビネット１の左右方向の適所に、簡単に機能部品であるもたれバー１７を移動し、固定して利用することができる点を特徴としている。
【００３０】
図２（ｃ）は、取付部材１０に、機能部品としてタオル掛け２３を着脱自在に取り付けた構成を示している。タオル掛け２３の内側にはフック２４が設けられている。タオル掛け２３を取付部材１０に取り付ける場合には、取付部材１０にフック２４を引っ掛ければよい。
【００３１】
以上の実施例１の説明から明らかなように、本発明は、もたれバーやタオル掛け等、夫々独自の機能を有する機能部品を、幕板の取付部（取付部材１０）にオプションとして着脱自在に簡単に装着できる構成を特徴としている。
【００３２】
機能部品としては、もたれバーやタオル掛け以外にも、小物入れ、後付テーブル、システムキッチンの各種機器（水栓、換気扇等）を操作する手元操作スイッチ等、使用者が所望するいろいろな種類の機能部品があり、使用者は選択的且つ簡単に着脱して利用することができる。そして、機能部品は、その取付の際に、その長さ（例．もたれバーの左右方向の長さ等）、あるいはその取付個数を自由に選択することができる。
【００３３】
（実施例２）
図４、５は本発明に係るキャビネットの実施例２を説明する図である。図４（ａ）はもたれバー１７が適用されるシステムキッチンの全体構成を示し、図４（ｂ）は図４（ａ）要部拡大図である。図５（ａ）は、図４（ｂ）のＡ−Ａ断面図で、図５（ｂ）は実施例２の要部斜視図である。
【００３４】
実施例２の幕板８は、実施例１同様に、幕板本体９に取付部材２５を固定して成るものであるが、その特徴とするところは、取付部材２５に軌道部３１が形成されており、この軌道部３１で機能部品（本実施例ではもたれバー１７）に取り付けた車輪３５を案内し、機能部品を軌道部３１に沿って滑らかに走行可能とする構成である。
【００３５】
実施例２の取付部材２５は、実施例１同様に、アルミの押し出し成形品、又は樹脂成形品として、十分な強度を有する断面形状（図５（ａ）参照）をしており、長尺状に一体の部材として製造されたものである。
【００３６】
取付部材２５は、図５（ａ）に示すように、前方垂直壁２６、後方垂直壁２７、頂壁２８及び底壁２９とから成る。実施例１同様に、幕板本体９に後方垂直壁２７を当接させてボルト３０で固定することにより取付部材２５を取り付けることができる。前方垂直壁２６、頂壁２８及び底壁２９で、断面略Ｃ字型の軌道部３１が形成されている。
【００３７】
この軌道部３１に機能部品が走行自在に取り付けられる。この実施例２は、機能部品としてもたれバー１７を取り付けた構成を示している。図５（ａ）、（ｂ）に示すように、もたれバー１７の内側には取付用ブラケット３２が固定されている。この取付用ブラケット３２にはボルト３３で走行体３４が取り付けられている。
【００３８】
走行体３４には、その上下に車輪３５が取り付けられている。走行体３４を軌道部３１に取り付ける際には、ボルト３３をゆるめて走行体３４を水平状態として軌道部３１の開口３６に合わせて走行体３４を挿入してから、走行体３４の上下の車輪３５が頂壁２８及び底壁２９で案内されるように垂直状態にしてボルト３３を締着する。なお、このボルト３３は、機能部品であるもたれバー１７が取付部材２５からはずれることを防止するはずれ防止手段でもある。
【００３９】
もたれバー１７の内面にはストッパー金具３７が固定されており、このストッパー金具３７の下部は下方に伸びており、そこにストッパービス３８が取り付けられている。このストッパービス３８は、常時はゆるめて取り付けられ、もたれバー１７を軌道部３１に沿って左右方向に走行可能としているが、ストッパービス３８を取付部材２５の前面（軌道部３１の開口３６の側縁部の前面）に押圧するように締め付けることにより、もたれバー１７を使用者が選択する所望の位置に固定することができる。
【００４０】
このように走行体３４を軌道部３１に取り付けることにより、もたれバー１７は軌道部３１上を走行して左右方向に滑らかに移動可能であり、使用者が所望する位置に簡単にもたれバー１７移動し、その位置で簡単に固定することができる。
【００４１】
（実施例３）
図６〜８は本発明に係るキャビネットの実施例３を説明する図である。図６はサポート用ロープが取り付けられた状態のシステムキッチンの全体構成を示し、図７（ａ）はサポート用ロープの固定部の断面を示し、図７（ｂ）は要部斜視図である。図８はサポート用ロープの使用状況を示す図である。
【００４２】
図６、７において、実施例１同様に、幕板本体９に取付部材３９がボルト４０で固定されて幕板８が構成され、この幕板８は、キャビネット１の流し台４、５から調理台６までにわたって左右方向に幅広く取付けられている。実施例３の取付部材３９は、実施例１同様に、アルミの押し出し成形品、又は樹脂成形品として、十分な強度を有する断面形状をしており、長尺状に一体の部材として製造されている。
【００４３】
取付部材３９は、後方垂直壁４１、頂壁４２及び底壁４３とから成り、その断面が略Ｃ字型である。実施例１同様に、幕板本体９に後方垂直壁４１を当接させて取付部材３９をボルト４０で固定することができる。
【００４４】
この取付部材３９に、機能部品を取り付けるための１又は２以上の支持金具が、その取付位置を自由に選択して取り付け可能である。この実施例３は、機能部品としてサポート用ロープ４４を取り付けた構成を示している。
【００４５】
図７（ａ）、（ｂ）において、サポート用ロープ４４を取付部材に取り付ける支持金具４５は、リング４６を有し、取付部材３９内（取付部材３９の内側に形成される溝内）に装入される固定金具４７と摘み付き固定用ボルト４８により取付部材３９に着脱自在に固定される。この固定用ボルト４８は、機能部品である。サポート用ロープ４４が取付部材３９からはずれることを防止するはずれ防止手段でもある。
【００４６】
支持金具４５を取付部材３９に装着する時は、固定金具４７を水平状態とし取付部材３９の開口４９に合わせて取付部材３９内に挿入し、さらに垂直に回転してして（図７（ｂ）参照）抜け止め状態とする。その後、取付部材３９に沿って固定金具４７を左右方向スライドして移動し、その取付位置を選択する。そして固定用ボルト４８と固定金具４７により、支持金具４５を取付部材３９の開口４９の側縁に締着する。
【００４７】
支持金具４５のリング４６には、サポート用ロープ４４の端部に取り付けられたフック５０を係入することにより、サポート用ロープ４４を支持金具４５乃至取付部材３９に係脱自在に取り付けることができる。このようにしてサポート用ロープ４４を取付部材３９に取り付け、図８に示すように、使用者Ｐをサポートすることができる。
【００４８】
この実施例３は、支持金具４５にサポート用ロープ４４を取り付けたが、サポート用ロープ４４以外の機能部品を、同様の構成で取り付けるようにしてもよい。又、支持金具４５はリング４６を有することなく直接、機能部品を支持する構成としてもよい。
【００４９】
（実施例４）
図９は、本発明の実施例４を説明する斜視図である。この実施例４のキャビネットは、キャビネット５１の収納部の前板５２の前面に、図９（ａ）に示すように、取付部材５３を取り付け、この取付部材５３に機能部品を取り付けられるようにした構成を特徴とする。
【００５０】
取付部材５３は、実施例１と同様の構造の断面Ｈ型の取付部材であり、実施例１同様にもたれバー１７を装着することにより、図９（ｂ）に示すように、キャビネット５１の収納部の前板５２の前面にもたれバー１７を取り付けることができる。
【００５１】
実施例４では取付部材として、実施例１同様の断面Ｈ型の取付部材５３を前板５２に固定しているが、実施例２又は実施例３と同様の構造の取付部材を固定してもよい。又、実施例４の取付部材５３に取り付ける機能部品は、もたれバー１７以外のタオル掛けその他の機能部品でもよい。
【００５２】
以上、本発明に係るキャビネットの実施の形態を実施例に基づいて説明したが、本発明は特にこのような実施例に限定されることなく、特許請求の範囲記載の技術的事項の範囲内でいろいろな実施例があることはいうまでもない。
【００５３】
【発明の効果】
本発明に係るキャビネットは以上のような構成であるから、次のような効果が生じる。
（１）取付部材を、キャビネットの流し台から調理台にわたって左右方向に幅広く取付け、流し台の位置から調理台の位置まで、機能部品を自由に移動し、且つ固定可能に取り付けられるようにしたので、使用者は、もたれバー等の機能部品を所望の位置で、使い勝手よく快適に利用することができる。特に、取付部材に対して走行する車輪を設けることにより、機能部品は所望位置にスムースに移動させることができる。
【００５４】
（２）システムキッチン等を構成する複数のキャビネット毎に幕板本体及び取付部材を取り付けてもよいし、複数のキャビネットにわたって幕板本体及び取付部材を取り付けてもよい。さらに、取付部材に取り付けるもたれバー等の機能部品は、その長さや個数を自由に選択できるから、仕様設計に際しての自由度が大きく、又使用者の好みに応じたきめ細かい態様でキャビネットを提供することができる。
【００５５】
（３）取付部材に、もたれバー、タオル掛け、小物入れ、後付テーブル、各種のスイッチ類等、使用者が所望とするいろろいろな種類の機能部品を、選択的且つ簡単に着脱自在に取り付けて利用することができる。
【図面の簡単な説明】
【図１】本発明に係るキャビネットの実施例１の全体構成を示す図である。
【図２】図１における実施例１の要部を説明する図であり、図２（ａ）はキャビネットへの幕板本体の取付構造を示し、図２（ｂ）は、この実施例１をもたれバーに適用した例を示し、図２（ｃ）はタオル掛けに適用した例を示す。
【図３】本発明に係るキャビネットの実施例１をもたれバーに適用した全体構成を示す図である。
【図４】実施例２の全体構成を示す図であり、図４（ａ）は、実施例２がもたれバーに適用されて成るシステムキッチンの全体構成を示す斜視図であり、図４（ｂ）は、図４（ａ）の要部拡大図である。
【図５】図５（ａ）は図４（ｂ）のＡ−Ａ断面図であり、図５（ｂ）は実施例２の要部を説明する図である。
【図６】本発明に係るキャビネットの実施例３を説明する図であり、サポート用ロープが取り付けられた状態のキャビネットの全体構成を示す。
【図７】図７（ａ）は実施例３のサポート用ロープの取付部の断面を示し図７（ｂ）は要部斜視図である。
【図８】実施例３のサポート用ロープの使用状況を示す図である。
【図９】本発明に係るキャビネットの実施例４を説明する図である。
【符号の説明】
１    （複数のキャビネットがユニット化された）キャビネット
２    天板
３    シンク
４、５、６、７、５１    キャビネット
８    幕板
９    幕板本体
１０、２５、３９、５３    取付部材（取付部）
１７    もたれバー
１８    取付用ブラケット
１９    フック部
２０    当接部
２１    締結片
２３    タオル掛け
２４    フック
３１    軌道部
３２    取付用ブラケット
３４    走行体
３５    車輪
３６    軌道部の開口
３７    ストッパー金具
３８    ストッパービス
４４    サポート用ロープ
４５    支持金具
４６    リング
４７    固定金具
４８    固定用ボルト
４９    取付部材の開口
５０    サポート用ロープに取り付けられたフック
５２    前板
【図１】
0004940516.tif 000002
【図２】
0004940516.tif 000003
【図３】
0004940516.tif 000004
【図４】
0004940516.tif 000005
【図５】
0004940516.tif 000006
【図６】
0004940516.tif 000007
【図７】
0004940516.tif 000008
【図８】
0004940516.tif 000009
【図９】
0004940516.tif 000010